【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
ソフトウェア・アプリケーションを使用して、少なくとも１つのハードウェア・コントローラを有する電子制御式器具を制御する方法であって、当該方法が、
１つ以上のリモート・コンピューティング・システムから、前記電子制御式器具が前記１つ以上のリモート・コンピューティング・システムに通信可能に接続されていることを示すことの指示を受けるステップと、
前記ソフトウェア・アプリケーションにおいて、前記電子制御式器具が、命令を受けるために利用可能であることを示す通知を与えるステップと、
前記ソフトウェア・アプリケーションにおいて、１つ以上の指定された機能が前記電子制御式器具によって実行されるべきことを示すユーザ入力を受け取るステップと、
前記受け取ったユーザ入力において指定された機能に基づいて、前記電子制御式器具を制御するように構成された１つ以上の命令を生成するステップと、
前記１つ以上の指定された機能を実行するために、前記生成した命令を前記電子制御式器具に送るステップであって、前記１つ以上の機能が、前記ハードウェア・コントローラによって前記電子制御式器具上で解釈され実行される、ステップと、
を含む、方法。
【請求項２】
請求項１記載の方法であって、更に、
前記ソフトウェア・アプリケーションを移動体デバイス上でインスタンス化すべきことを示す開始入力を受け取るステップと、
前記移動体デバイス上で前記ソフトウェア・アプリケーションをインスタンス化するステップと、
を含む、方法。
【請求項３】
請求項２記載の方法であって、更に、
前記ソフトウェア・アプリケーションにおいて、前記電子制御式器具が前記１つ以上のリモート・コンピューティング・システムとの通信を試行していることを示すことの指示を受けるステップと、
前記ソフトウェア・アプリケーションにおいて、前記電子制御式器具が前記１つ以上のリモート・コンピューティング・システムと通信することが許可されていることを示すユーザ入力を受け取るステップと、
を含む、方法。
【請求項４】
請求項１記載の方法において、前記電子制御式器具が、前記１つ以上のリモート・コンピューティング・システムに、有線または無線接続を介して通信可能に接続される、方法。
【請求項５】
請求項１記載の方法であって、更に、
前記ソフトウェア・アプリケーションが、人口統計学的情報を提供するようにユーザに促すユーザ・インターフェースを表示するステップと、
前記ユーザに関連する前記受け取った人口統計学的情報を、前記ユーザに関連付けられたアカウントに前記電子制御式器具を登録するように構成されたクラウド・プラットフォームに送るステップと、
を含む、方法。
【請求項６】
請求項１記載の方法において、前記ソフトウェア・アプリケーションが、前記電子制御式器具に適用すべき１つ以上の変更を示す命令を、ユーザから受けるように構成される、方法。
【請求項７】
請求項１記載の方法において、前記ソフトウェア・アプリケーションが、前記１つ以上のリモート・コンピューティング・システムから１つ以上の情報部分を受け取り、前記受け取った情報が前記電子制御式器具に関するデータを含む、方法。
【請求項８】
請求項１記載の方法において、前記ソフトウェア・アプリケーションが、前記電子制御式器具の１つ以上の機能をユーザに監視させるユーザ・インターフェースを設ける、方法。
【請求項９】
請求項１記載の方法において、前記ソフトウェア・アプリケーションが、前記電子制御式器具の１つ以上の機能をユーザによって制御させるユーザ・インターフェースを設ける、方法。
【請求項１０】
請求項１記載の方法において、前記ソフトウェア・アプリケーションが、１つ以上の調理法をダウンロードさせて前記電子制御式器具に供給させるユーザ・インターフェースを設ける、方法。
【請求項１１】
コンピュータ実行可能命令を格納する１つ以上のコンピュータ読み取り可能媒体であって、前記コンピュータ実行可能命令が実行されると、ソフトウェア・アプリケーションを使用して電子制御式器具を制御する方法を実装し、当該方法が、
前記ソフトウェア・アプリケーションにおいて、前記電子制御式器具が１つ以上のリモート・コンピューティング・システムとの通信を試行していることを示すことの指示を受けるステップと、
前記ソフトウェア・アプリケーションにおいて、前記電子制御式器具が前記１つ以上のリモート・コンピューティング・システムと通信することが許可されていることを示す第１ユーザ入力を受け取るステップと、
前記１つ以上のリモート・コンピューティング・システムの内少なくとも１つから、前記電子制御式器具が前記１つ以上のリモート・コンピューティング・システムに通信可能に接続されていることを示すことの指示を受けるステップと、
前記ソフトウェア・アプリケーションにおいて、前記電子制御式器具が命令を受けるために利用可能であることを示す通知を与えるステップと、
前記ソフトウェア・アプリケーションにおいて、１つ以上の指定された機能が前記電子制御式器具によって実行されるべきことを示す第２ユーザ入力を受け取るステップと、
前記受け取ったユーザ入力において指定された機能に基づいて、前記電子制御式器具を制御するように構成された１つ以上の命令を生成するステップと、
前記１つ以上の指定された機能を実行するために１つ以上の命令を前記電子制御式器具に送るステップであって、前記１つ以上の機能が、前記電子制御式器具上においてハードウェア・コントローラによって解釈され実行される、ステップと、
を含む、コンピュータ読み取り可能媒体。
【請求項１２】
請求項１１記載のコンピュータ・プログラム製品において、前記ソフトウェア・アプリケーションが、タイマ、プローブ、または温度に対して警報を発する、コンピュータ・プログラム製品。
【請求項１３】
請求項１１記載のコンピュータ・プログラム製品において、前記ソフトウェア・アプリケーションが、１つ以上のカスタム燻煙サイクルをユーザにプログラミングさせるユーザ・インターフェースを設ける、コンピュータ・プログラム製品。
【請求項１４】
請求項１３記載のコンピュータ・プログラム製品であって、更に、少なくとも１つのカスタム化燻煙サイクルが前記電子制御式器具によって実行されるように、前記カスタム化燻煙サイクルを前記電子制御式器具に送るステップを含む、コンピュータ・プログラム製品。
【請求項１５】
請求項１３記載のコンピュータ・プログラム製品において、前記ソフトウェア・アプリケーションが、ユーザに、前記カスタム化燻煙サイクルを前記リモート・コンピューティング・システムの内１つ以上におけるデータ・ストア、前記電子制御式器具、または移動体デバイスに保存させるユーザ・インターフェース機能を設ける、コンピュータ・プログラム製品。
【請求項１６】
請求項１１記載のコンピュータ・プログラム製品において、前記ソフトウェア・アプリケーションが、前記電子制御式器具上においてユーザに調理法を開始させるユーザ・インターフェース機能を設け、前記調理法が、前記電子制御式器具に対する１つ以上の指定された燻煙設定を含む、コンピュータ・プログラム製品。
【請求項１７】
請求項１１記載のコンピュータ・プログラム製品において、前記ソフトウェア・アプリケーションが、前記１つ以上のリモート・コンピューティング・システムと前記電子制御式器具との間における通信を容易にし、前記ソフトウェア・アプリケーションが、データ・パケットを前記１つ以上のリモート・コンピューティング・システムに送信し、データ・パケットを前記１つ以上のリモート・コンピューティング・システムから受信するように構成され、更に、データ・パケットを前記電子制御式器具に送信し、データ・パケットを前記電子制御式器具から受信するように構成される、コンピュータ・プログラム製品。
【請求項１８】
コンピュータ実行可能命令を有する１つ以上のコンピュータ記憶媒体を含むコンピュータ・プログラム製品であって、前記コンピュータ実行可能命令がコンピューティング・システムの１つ以上のプロセッサによって実行されると、前記コンピューティング・システムにユーザ・インターフェースをインスタンス化させ、前記ユーザ・インターフェースが、
電子制御式器具が１つ以上のリモート・コンピューティング・システムと通信することを許可されているか否かを示す入力を受け取るように構成された第１入力フィールドと、
前記電子制御式器具が前記１つ以上のリモート・コンピューティング・システムに通信可能に接続されているか否か示し、更に、前記電子制御式器具が命令を受けるために利用可能であることを示す通知を与えるように構成された通知フィールドと、
１つ以上の指定された機能が前記電子制御式器具によって実行されるべきことを示す入力を受け取るように構成された第２入力フィールドと、
前記受け取られたユーザ入力において指定された前記機能に基づいて、前記電子制御式器具を制御するように構成された１つ以上の命令が生成されていることを示すように構成された命令生成インディケータと、
前記１つ以上の指定された機能の実行のために、前記１つ以上の命令が前記電子制御式器具に送られていることを示すように構成された送信インディケータであって、前記１つ以上の機能が、前記電子制御式器具上においてハードウェア・コントローラによって解釈され実行される、送信インディケータと、
を含む、コンピュータ・プログラム製品。
【請求項１９】
請求項１８記載のコンピュータ・プログラム製品において、前記ユーザ・インターフェースが、更に、前記電子制御式器具上においてカスタム料理サイクルにリアル・タイムの追加または変更を行う、コンピュータ・プログラム製品。
【請求項２０】
請求項１８記載のコンピュータ・プログラム製品であって、更に、前記電子制御式器具と共に実装されたワイヤレス料理機材から１つ以上の温度更新を受けることを含む、コンピュータ・プログラム製品。